(57)【特許請求の範囲】
【請求項１】
走行車体（１）の下部に備えた左右の走行クローラ（２）を該走行車体（１）に対して昇降駆動可能に装備する走行車両において、左右の走行クローラ（２，２）を乗り上げて載置状態で支持する載置台（９）と、走行クローラ（２）の前側位置と後側位置とにおいて該左右の走行クローラ（２）の左右両外側方に配置され、左右の走行クローラ（２，２）を前記載置台（９）から上方に持ち上げた状態で走行車体（１）を接地支持する４つのリフトスタンド（１０）を走行車体（１）に装備し、リフトスタンド（１０）のうちの機体右前部に配置されるリフトスタンド（１０（ＲＦ））を、前後方向のスタンド軸（１２）の軸心回りに回動自在に走行車体（１）に支持し、この機体右前部に配置されるリフトスタンド（１０（ＲＦ））以外の３つのリフトスタンド（１０（ＲＢ），１０（ＬＦ），１０（ＬＢ））を、左右方向のスタンド軸（１２）の軸心回りに回動自在に走行車体（１）に支持し、該リフトスタンド（１０）を前記スタンド軸（１２）の軸心まわりに回動させることで起立姿勢と収納姿勢とに切替自在な構成としたことを特徴とするコンバイン。
【請求項２】
前記リフトスタンド（１０）側のスタンド側ロックプレート（１４）と前記走行車体（１）側の車体側ロックプレート（１５）の夫々に形成されたロック穴にロックピン（１３）を挿通することで、リフトスタンド（１０）が前記起立姿勢に保持され、車体側ロックプレート（１５）における、起立姿勢においてロックピン（１３）が相通されるロック穴とは異なるロック穴と、スタンド側ロックプレート（１４）のロック穴とにロックピン（１３）を相通することで、リフトスタンド（１０）が前記収納姿勢に保持される構成とし、
該リフトスタンド（１０）は、それぞれ上部スタンド（１０ａ）と下部スタンド（１０ｂ）とに分割するとともに、上部スタンド（１０ａ）に対して、下部スタンド（１０ｂ）が上下に伸縮するようにスライド移動可能に構成し、下部スタンド（１０ｂ）の下端に備えた設置具（１１）は、この接地具（１１）と下部スタンド（１０ｂ）の間に備えたアジャスタ（１８）により上下の微調節可能な構成とした請求項１記載のコンバイン。
【請求項３】
前記収納状態において、前記リフトスタンド（１０）のうちの、機体の左側に配置される前後のリフトスタンド（１０（ＬＦ），１０（ＬＢ））は、走行車体（１）を構成する左サイドフレーム（７Ｌ）と平行な姿勢で、左サイドフレーム（７Ｌ）の外側に近接して唐箕カバーの内側に収納され、機体右後部に配置されるリフトスタンド（１０（ＲＢ））は、前記収納状態において、走行車体（１）を構成する右サイドフレーム（７Ｒ）と平行な姿勢で、右サイドフレーム（７Ｒ）の外側に近接してグレンタンク（２５）のタンクカバー（２６）の内側に収納され、機体右前部のリフトスタンド（１０（ＲＦ））は、右サイドフレーム（７Ｒ）に挿入されたスタンド軸（１２）の軸心まわりに機体内側に回動して運転席（２７）前方の操作ボックス（２８）を装着する操作フレーム（２９）の下方に収納される構成とした請求項１または請求項２記載のコンバイン。
【発明の詳細な説明】
【技術分野】
【０００１】
この発明は、走行クローラを備えたコンバインに関する。
【背景技術】
【０００２】
従来、例えば、特許文献１には、走行クローラを機体に対して昇降駆動可能に設けたコンバインにおいて、走行クローラを最下降位置に操作した後に、機体の下部にスタンドを挿入し、この状態で走行クローラを上昇操作することにより機体の下部にスタンドを接当させて、走行クローラをスタンドにより持ち上げ支持するようにした構成の機体スタンド支持装置が開示されている。
【先行技術文献】
【特許文献】
【０００３】
【特許文献１】実公平７−１８２６６号公報
【発明の概要】
【発明が解決しようとする課題】
【０００４】
上記従来構成のスタンドは、左右の走行クローラ間に設置するものであるため、走行クローラを回転させながら洗浄する場合などには、機体が左右に揺れて、安定した支持が得られない問題があり、また、スタンド設置時には左右クローラ間の狭い空間内に挿入しなけらばならず、作業が困難であった。
【課題を解決するための手段】
【０００５】
この発明は、上記課題を解決すべく次のような技術的手段を講じた。
すなわち、請求項１記載の発明は、走行車体（１）の下部に備えた左右の走行クローラ（２）を該走行車体（１）に対して昇降駆動可能に装備する走行車両において、左右の走行クローラ（２，２）を乗り上げて載置状態で支持する載置台（９）と、走行クローラ（２）の前側位置と後側位置とにおいて該左右の走行クローラ（２）の左右両外側方に配置され、左右の走行クローラ（２，２）を前記載置台（９）から上方に持ち上げた状態で走行車体（１）を接地支持する４つのリフトスタンド（１０）を走行車体（１）に装備し、リフトスタンド（１０）のうちの機体右前部に配置されるリフトスタンド（１０（ＲＦ））を、前後方向のスタンド軸（１２）の軸心回りに回動自在に走行車体（１）に支持し、この機体右前部に配置されるリフトスタンド（１０（ＲＦ））以外の３つのリフトスタンド（１０（ＲＢ），１０（ＬＦ），１０（ＬＢ））を、左右方向のスタンド軸（１２）の軸心回りに回動自在に走行車体（１）に支持し、該リフトスタンド（１０）を前記スタンド軸（１２）の軸心まわりに回動させることで起立姿勢と収納姿勢とに切替自在な構成としたことを特徴とするコンバインとする。
【０００６】
車両の推進により左右の走行クローラ（２，２）を載置台（９）上に乗り上げる。車高下げ状態から車高上げ状態にして走行車体（１）側に装備したリフトスタンド（１０）を起立姿勢にセットする。そして、この車高上げ状態から車体を下げ操作すると、走行クローラ（２，２）が載置台（９）から上方に離間し、リフトスタンド（１０）が走行クローラ（２，２）を持ち上げた状態で走行車体（１）の全重量を支持することになる。この状態で、例えば、走行クローラ（２，２）を洗浄したい場合には、載置台（９）を外側に取り出し、走行クローラ（２，２）を回転させながら水を噴射して洗浄することができる。
【０００７】
リフトスタンド（１０）は、走行クローラ（２，２）の前後端よりも前側と後側に配置しているので、載置台（９）の左右外側方への取り出しが容易であり、また、リフトスタンド（１０）は、走行クローラ（２，２）よりも左右両外側方に配置しているので、走行車体（１）の全重量を安定良く支持でき、走行クローラ洗浄時に走行クローラ（２，２）を回転させても、振動による走行車体（１）の左右の揺れを防ぐことができる。
また、走行クローラ（２，２）を持ち上げ支持する場合には、リフトスタンド（１０）を下方に降ろして起立姿勢にて接地支持させ、リフトスタンド（１０）が不用の場合は、上方に持ち上げて収納しておくことができる。
【０００８】
請求項２記載の発明は、前記リフトスタンド（１０）側のスタンド側ロックプレート（１４）と前記走行車体（１）側の車体側ロックプレート（１５）の夫々に形成されたロック穴にロックピン（１３）を挿通することで、リフトスタンド（１０）が前記起立姿勢に保持され、車体側ロックプレート（１５）における、起立姿勢においてロックピン（１３）が相通されるロック穴とは異なるロック穴と、スタンド側ロックプレート（１４）のロック穴とにロックピン（１３）を相通することで、リフトスタンド（１０）が前記収納姿勢に保持される構成とし、該リフトスタンド（１０）は、それぞれ上部スタンド（１０ａ）と下部スタンド（１０ｂ）とに分割するとともに、上部スタンド（１０ａ）に対して、下部スタンド（１０ｂ）が上下に伸縮するようにスライド移動可能に構成し、下部スタンド（１０ｂ）の下端に備えた設置具（１１）は、この接地具（１１）と下部スタンド（１０ｂ）の間に備えたアジャスタ（１８）により上下の微調節可能な構成とした請求項１記載のコンバインとする。
【０００９】
また、請求項３記載の発明は、前記収納状態において、前記リフトスタンド（１０）のうちの、機体の左側に配置される前後のリフトスタンド（１０（ＬＦ），１０（ＬＢ））は、走行車体（１）を構成する左サイドフレーム（７Ｌ）と平行な姿勢で、左サイドフレーム（７Ｌ）の外側に近接して唐箕カバーの内側に収納され、機体右後部に配置されるリフトスタンド（１０（ＲＢ））は、前記収納状態において、走行車体（１）を構成する右サイドフレーム（７Ｒ）と平行な姿勢で、右サイドフレーム（７Ｒ）の外側に近接してグレンタンク（２５）のタンクカバー（２６）の内側に収納され、機体右前部のリフトスタンド（１０（ＲＦ））は、右サイドフレーム（７Ｒ）に挿入されたスタンド軸（１２）の軸心まわりに機体内側に回動して運転席（２７）前方の操作ボックス（２８）を装着する操作フレーム（２９）の下方に収納される構成とした請求項１または請求項２記載のコンバインとする。
【発明の効果】
【００１０】
請求項１記載の発明によれば、リフトスタンド（１０）は、走行クローラ（２，２）よりも前側と後側に配置しているので、載置台（９）の左右外側方への取り出しが容易で、走行クローラ（２，２）の着脱も外側から容易にできる。しかも、リフトスタンド（１０）は左右の走行クローラ（２，２）の外側に配置するので、走行車体（１）を安定良く支持することができ、走行クローラ（２，２）を回転させながらの洗浄が容易にできる。
また、リフトスタンド（１０）の使用、不使用時の切り替えが簡単にでき、特に、使用時には、収納位置から下方に降ろしてセットするだけの操作でよく、作業を能率よく行うことができる。
また、起立姿勢のリフトスタンド（１０）がそれぞれの軸心を回動中心として、前後方向と左右方向に回動することを互いに規制し合い、機体が左右前後に揺れることを防止できる。
【００１１】
請求項２記載の発明によれば、上記請求項１記載の発明の効果に加えて、リフトスタンド（１０）の長さを上下調節することができる。
また、請求項３記載の発明によれば、上記請求項１または請求項２記載の発明の効果に加えて、機体の左側に配置される前後のリフトスタンド（１０）を外側に露出しないように唐箕カバーの内側に収納することができる。また、機体右前部のリフトスタンド（１０）を操作フレーム（２９）の下方空間部を有効利用して収納することができる。
【図面の簡単な説明】
【００１２】
【図１】（ａ）（ｂ）（ｃ）（ｄ）は車体リフトアップの操作手順を示す走行車両の側面図
【図２】（イ）（ロ）（ハ）は走行車両の背面図
【図３】走行フレームとリフトスタンドとの関係構成例を示す平面図
【図４】図３とは別実施態様の平面図
【図５】リフトスタンド取り外し状態を示す平面図
【図６】リフトスタンドの側面図
【図７】同上正面図
【図８】ジャッキアップ手段を備えたリフトスタンドの側面図
【図９】同上要部の正面図
【図１０】リフトスタンドのスタンド収納状態を示す側面図
【図１１】リフトスタンドの側面図
【図１２】同上要部の正面図
【図１３】コンバインの側面図
【図１４】リフトスタンドの別実施例の側面図
【発明を実施するための形態】
【００１３】
この発明の実施例を図面に基づき説明する。
走行車体１の下部に左右一対の走行クローラ２，２を備えた走行車両において、走行クローラ２，２は、図１に示すように、揺動リンク３，３、操作アーム４，４、連結ロッド５、昇降シリンダ６などの昇降駆動機構を介して、揺動リンク３，３を上下に揺動操作することにより、車体１に対して昇降駆動可能に構成してあり、左右走行クローラの車体に対する車高（高さ）調節により、車体の地面に対する左右傾斜が調節できるようになっている。
【００１４】
走行車体１側には、走行クローラ２，２の位置よりも前側位置と後側位置で、且つ、走行クローラ２，２の左右両外側方に位置してリフトスタンド１０を起伏可能に装着支持している。
【００１５】
リフトスタンド１０は、下端に接地具１１を有し、上端にスタンド長手方向と直交するＬ型のスタンド軸１２を設けた構成であり、そして、図３に示す実施例では、走行フレーム７の左右サイドフレームパイプ７Ｌ，７Ｒに直交する中空のフロントフレームパイプ７Ｆとリヤフレームパイプ７Ｂとに前記スタンド軸１２を挿入して起立姿勢と収納姿勢とに切替固定自在に軸装した構成になっており、これら４本のリフトスタンド１０によって機体を４点で持ち上げ支持する構成としている。これにより、各リフトスタンド１０にかかる荷重は走行フレーム７のサイドフレーム、フロントフレーム及びリヤフレームによって直接支持する構成であるため、強度の高い安定したスタンド支持構成を得ることができる。
【００１６】
リフトスタンド１０の起立姿勢では、ロックピン１３を、スタンド側ロックプレート１４と車体側ロックプレート１５とに設けられたロック穴に挿通することによってロックし（図６、図７）、収納姿勢では、ロックピン１３を車体側ロックプレー１５から抜き外した後、リフトスタンド１０を持ち上げてロックピン１３を車体側ロックプレート１５の前記とは別のロック穴に差し込んで収納状態でロック保持するように構成している。
【００１７】
走行車体１をリフトアップする時には、走行クローラ２，２を所定の高さ位置に乗り上げるための載置台９が用意される。載置台９はクローラが乗り上がり易いように台形状に形成されたものである。
【００１８】
上記構成により、走行車体１をリフトアップする時には、次のような手順で行うことができる。つまり、まず、車両の推進により、適所に敷設された載置台９の上に走行クローラ２，２を乗り上げる（図１（ａ））。次に車高下げ状態から車高を上げ状態にして走行車体１側に装備したリフトスタンド１０をスタンド起立姿勢にセットする（図１（ｂ）、図２（ロ））。そして、この車高上げ状態から車体下げ側へ操作すると、走行クローラ２，２が載置台９から上方に離間し、リフトスタンド１０が走行クローラ持ち上げ状態で走行車体１の重量を支持する（図１（ｃ）、図２（ハ））。そして、載置台９を引抜き用ロープ９ａ（図１（ｃ））でもって後側外方に引き抜くか、ハンドリング用ハンドル９ｂ（図１（ｃ））でもって左右横外側方に引き出し、走行クローラ２，２を回転させながらこの走行クローラ２，２の洗浄を行うことができる（図１（ｄ））。
【００１９】
リフトスタンド１０の構成例において、図４に示す実施例では、フロントフレーム７Ｆの左側、リヤフレーム７Ｂの左右側は、リフトスタンド１０のスタンド軸１２を左右横方向から挿入して３点で機体を支持する構成とし、右側前方のリフトスタンド１０は、右サイドフレーム７Ｒにスタンド軸１２を前後方向に挿入した構成とし、これと合わせて４点で走行車体１を支持する構成としている。右前のスタンド軸１２は前後方向に平行であり、他の３点のスタンド軸１２は左右横方向に平行しているので、リフトスタンド作用時、リフトスタンド１０がそれぞれの軸芯を回動中心として、前後方向と左右方向に回動するのを、それぞれの回動を規制し合い機体が左右前後に揺れるのを防止することができる。なお、各リフトスタンド１０…は、図５に示すように、各々単独でフレームパイプに対して抜き差しできるように構成しているが、前側及び後側の左右のリフトスタンド１０を一体的に構成してフレームパイプに対して着脱可能に構成することもできる。
【００２０】
また、上記リフトスタンド１０は、上下に２分割し、上部スタンド１０ａに対して下部スタンド１０ｂが上下に伸縮するようスライド移動可能に構成し、床面に合わせた上下調節が行えるようにしている。なお、調節後は係止ピン１７によって固定する構成としている。
【００２１】
下部スタンド１０ｂ下端の接地具１１は、アジャスタ１８によって上下の微調整が行えるように構成している（図６、図７）。
上部スタンド１０ａには、図８、図９に示すように、上方にジャッキアップできるジャッキアッププレート１９を設け、ジャッキ２０の操作によって床面に合わせた上下調節が行えるようにしている。
【００２２】
図４に示す左前方、左後方、右後方のリフトスタンド１０（ＬＦ），１０（ＬＢ），１０（ＲＢ）は、フロントフレームパイプ７Ｆ、リヤフレームパイプ７Ｂに挿入したスタンド軸１２を中心として機体後方に回動させ、左右のサイドフレーム７Ｌ，７Ｒの外側でこれに近接して平行に収納（図１０参照）し、右前方のリフトスタンド１０（ＲＦ）は、右サイドフレーム７Ｒに挿入したスタンド軸１２を回動中心として機体内側に回動させて収納（図１１、図１２参照）するように構成している。
【００２３】
なお、左前方、左後方のリフトスタンド１０（ＬＦ），１０（ＬＢ）は、左側の唐箕カバー(図示省略)の内側に配置して外側に露出しない構成であり、右後方のリフトスタンド１０（ＲＢ）は、グレンタンク２５のタンクカバー２６（図１３）の内側に配置している。また、右前方のリフトスタンド１０（ＲＢ）は、運転席２７前方の操作ボックス２８を装着支持する操作フレーム２９（図１１、図１２、図１３）の下方に収納できる配置構成になっており、操作フレームの下方空間部を有効利用した構成である。
【００２４】
図１４に示す実施例は、リフトスタンド１０の下端に接地具１１に代わる移動用転輪２２を設けて、泥の落ちた洗浄箇所より他の場所へ自由に移動できるように構成している。なお、洗浄時には機体が移動しないように転輪２２の転がり防止用ストッパ２３を設けた構成としている。
【符号の説明】
【００２５】
１  走行車体
２  走行クローラ
７Ｌ  左サイドフレーム（サイドフレーム）
７Ｒ  右サイドフレーム（サイドフレーム）
９  載置台
１０  リフトスタンド
１０ａ  上部スタンド
１０ｂ  下部スタンド
１１  接地具
１２  スタンド軸
１３  ロックピン
１４  スタンド側ロックプレート
１５  車体側ロックプレート
１８  アジャスタ
２５  グレンタンク
２６  タンクカバー
２７  運転席
２８  操作ボックス
２９  操作フレーム
【図１】
0005387249.tif 000002
【図２】
0005387249.tif 000003
【図３】
0005387249.tif 000004
【図４】
0005387249.tif 000005
【図５】
0005387249.tif 000006
【図６】
0005387249.tif 000007
【図７】
0005387249.tif 000008
【図８】
0005387249.tif 000009
【図９】
0005387249.tif 000010
【図１０】
0005387249.tif 000011
【図１１】
0005387249.tif 000012
【図１２】
0005387249.tif 000013
【図１３】
0005387249.tif 000014
【図１４】
0005387249.tif 000015